(57)【要約】【課題】力の弱い人であっても、リモコンが見つからない場合であっても、容易に回転させることができる表示装置回転台を備えた表示装置を提供することである。【解決手段】液晶表示装置１００は、ディスプレイ本体１０と、ディスプレイ本体１０を取り付ける表示部支持機構及び表示部支持機構を回転させるモータを有する表示装置回転台２０とを備え、かざした手を検知する赤外線センサからなり、ディスプレイ本体１０の前面右端に設けられ、ユーザからの回転動作の指示を検知する右回転検知部９０と、かざした手を検知する赤外線センサからなり、ディスプレイ本体１０の前面左端に設けられ、ユーザからの回転動作の指示を検知する左回転検知部９１と、右回転検知部９０が検知した場合は表示部支持機構を右回転させ、左回転検知部９１が検知した場合は表示部支持機構を左回転させるようにモータを制御する制御部とを備えた構成とする。【選択図】図１
2008219539.tif 000002
【特許請求の範囲】
【請求項１】
表示部と、該表示部を取り付ける表示部支持機構及び該表示部支持機構を回転させるモータを有する表示装置回転台と、を備えた表示装置において、
かざした手を検知する赤外線センサからなり、前記表示部の前面右端に設けられ、ユーザからの回転動作の指示を検知する右回転検知部と、
かざした手を検知する赤外線センサからなり、前記表示部の前面左端に設けられ、ユーザからの回転動作の指示を検知する左回転検知部と、
前記右回転検知部が検知した場合は前記表示部支持機構を右回転させ、前記左回転検知部が検知した場合は前記表示部支持機構を左回転させるように前記モータを制御する制御部とを備えたことを特徴とする表示装置。
【請求項２】
表示部を取り付ける表示部支持機構と、該表示部支持機構を回転させるモータとを有する表示装置回転台において、
ユーザからの回転動作の指示を検知する検知部と、
前記検知部が検知した場合に前記モータを駆動させて前記表示部支持機構を回転させる制御部とを備えたことを特徴とする表示装置回転台。
【請求項３】
前記検知部は、右回転検知部と左回転検知部とからなり、
前記制御部は、前記右回転検知部が検知した場合は右回転させ、前記左回転検知部が検知した場合は左回転させるように制御することを特徴とする請求項２記載の表示装置回転台。
【請求項４】
前記右回転検知部は、該表示装置回転台の右半分の領域に設け、前記左回転検知部は、該表示装置回転台の左半分の領域に設けたことを特徴とする請求項３記載の表示装置回転台。
【請求項５】
前記検知部は、かざした手を検知する赤外線センサであることを特徴とする請求項２〜４の何れかに記載の表示装置回転台。
【請求項６】
前記検知部は、ライトタッチスイッチであることを特徴とする請求項２〜４の何れかに記載の表示装置回転台。
【請求項７】
請求項２〜６の何れかに記載の表示装置回転台と、表示部とを備えた表示装置。
【発明の詳細な説明】
【技術分野】
【０００１】
本発明は、表示部を取り付ける表示部支持機構と、該表示部支持機構を回転させるモータとを有する表示装置回転台及びそれを備えた表示装置に関する。
【背景技術】
【０００２】
従来より、テレビやパソコンのディスプレイなどの表示装置を設置し、その表示装置を左右に回転させる表示装置回転台が知られている。また回転台が一体になった表示装置も提供されている。回転台の回転動作は手動又はリモコンなどの操作により自動で行われ、その動作を実現するために様々な構成が提案されている。
【０００３】
例えば特許文献１には、受像機本体の外郭部を略球形状に形成し、その一方側の内部に画面を設けるとともに、この画面の前方に球面状に形成された画像透過窓を設ける一方、略球形状の外郭部の下側を載置する置き台の上面に、球面からなる凹面を形成し、この凹面に載置される受像機本体を回転して、画面を縦横いずれの方向にも向けることを可能にしたテレビジョン受像機が開示されている。
【０００４】
また特許文献２には、チルティングベースにチルティングガイドを設け、プロジェクションテレビ本体に固着したホルダーに支持されるチルティングローラーをチルティングガイド溝に移動自在に嵌合させ、プロジェクションテレビ本体に円弧状ラックを固着しチルティングベースにチルティング駆動モータを取り付けて、これらを駆動連結し、リモコン等による操作によってプロジェクションテレビ本体のチルティングを可能にし、また、ターン用ローラー、ターン駆動用モータ、回転用ラックギヤ、ターンギヤ列等からなるターン機構を設けたプロジェクションテレビが開示されている。
【０００５】
また特許文献３には、マルチビジョン本体の下面をキャスターで支持し、かつ下面の回転中心位置と中心が一致する回転軸を下面に固定し、この回転軸と回動可能に係合する回転軸受をマルチビジョンの下面と分離する台又は床に設け、回転軸は回転台に対し上下方向の抜止めを設けるようにしたテレビ画面回転台が開示されている。
【特許文献１】特開２００１−９４９０４号公報
【特許文献２】特開平６−２２５２４５号公報
【特許文献３】特開平５−１７６２６２号公報
【発明の開示】
【発明が解決しようとする課題】
【０００６】
上記のように、特許文献１の受像機本体の回転は手動で行い、特許文献２のプロジェクションテレビの回転はリモコン又は手動で行い、特許文献３のテレビ画面回転台の回転は手動で行う構成となっている。しかしながら、手動で回転させる構成では、経時劣化によって回転が重くなったり、力の弱い人には回転動作が困難であったりするという問題がある。また、リモコンの操作で回転させる構成では、リモコンが見つからない場合、回転させることができないという問題がある。
【０００７】
本発明は、力の弱い人であっても、リモコンが見つからない場合であっても、容易に回転させることができる表示装置回転台を提供することを目的とする。また、その表示装置回転台を備えた表示装置を提供することも目的とする。
【課題を解決するための手段】
【０００８】
上記目的を達成するために本発明は、表示部を取り付ける表示部支持機構と、該表示部支持機構を回転させるモータとを有する表示装置回転台において、ユーザからの回転動作の指示を検知する検知部と、前記検知部が検知した場合に前記モータを駆動させて前記表示部支持機構を回転させる制御部とを備えたことを特徴とする。
【０００９】
上記の表示装置回転台において、前記検知部は、右回転検知部と左回転検知部とからなり、前記制御部は、前記右回転検知部が検知した場合は右回転させ、前記左回転検知部が検知した場合は左回転させるように制御することが望ましい。
【００１０】
また上記の表示装置回転台において、前記右回転検知部は、該表示装置回転台の右半分の領域に設け、前記左回転検知部は、該表示装置回転台の左半分の領域に設けることが望ましい。
【００１１】
また上記の表示装置回転台において、前記検知部としては、かざした手を検知する赤外線センサ又はライトタッチスイッチを用いることができる。
【００１２】
また本発明は、上記の表示装置回転台と、表示部とを備えた表示装置とする。
【００１３】
上記の表示装置を具体化すると、表示部と、該表示部を取り付ける表示部支持機構及び該表示部支持機構を回転させるモータを有する表示装置回転台と、を備えた表示装置において、かざした手を検知する赤外線センサからなり、前記表示部の前面右端に設けられ、ユーザからの回転動作の指示を検知する右回転検知部と、かざした手を検知する赤外線センサからなり、前記表示部の前面左端に設けられ、ユーザからの回転動作の指示を検知する左回転検知部と、前記右回転検知部が検知した場合は前記表示部支持機構を右回転させ、前記左回転検知部が検知した場合は前記表示部支持機構を左回転させるように前記モータを制御する制御部とを備えた構成となる。
【発明の効果】
【００１４】
本発明によれば、表示装置を手動で回転させる構成にある、経時劣化によって回転が重くなったり、力の弱い人には回転動作が困難であったりするという問題や、リモコンの操作で回転させる構成にある、リモコンが見つからない場合、回転させることができないという問題を解決し、容易に回転させることができる。
【発明を実施するための最良の形態】
【００１５】
以下、表示装置の一例である液晶表示装置について説明する。図１は、表示装置回転台を備えた液晶表示装置の正面側の斜視図である。図２は、図１の液晶表示装置の背面側の斜視図である。図３は、図２の分解斜視図である。図４は、図１の表示装置回転台の内部構造を示す平面図である。図５〜図８は、図１の表示装置回転台の詳細構造を示した図である。まず、図１〜図８を参照して、表示装置回転台２０および液晶表示装置１００の構造について説明する。
【００１６】
表示装置回転台２０は、図１及び図２に示すように、表示部支持機構５０によって支持されているディスプレイ本体１０を左右方向（矢印Ａ方向を左方向、矢印Ｂ方向を右方向と呼ぶ）に回転させる（本実施形態では±３０度）ために設けられている。なお、ディスプレイ本体１０は、本発明の「表示部」の一例である。
【００１７】
また、表示装置回転台２０は、図４に示すように、表示部支持機構５０によって支持されているディスプレイ本体１０（図２参照）を水平面内で左右方向に回転させるための回転部３０と、後述する回転板３１を回転させるために設けられた、後述する複数のギアなどからなる駆動部４０とから構成されている。
【００１８】
回転部３０は、図５および図６に示すように、表示部支持機構５０（図３参照）が取り付けられる板金製の回転板３１と、後述する保持部材３３の貫通孔３３ａに配置される２４個の鋼球３２と、鋼球３２を回転可能に保持する樹脂製の保持部材３３と、板金製の台座３４と、板金製の浮止部材３５（本実施形態では４つ）とから構成されている。
【００１９】
保持部材３３は、図６に示すように、平面的に見て円環状に形成されている。また、保持部材３３には、平面的に見て略矩形形状（本実施形態では略正方形）を有する貫通孔３３ａが所定の間隔を隔てて２４個形成されている。また、保持部材３３は、鋼球３２の直径よりも小さい高さを有するとともに、回転板３１の外周面３１ａと実質的に等しい大きさの直径を有する。したがって、図５に示すように、保持部材３３の貫通孔３３ａ（図６参照）に装填された複数の鋼球３２が、上下方向から回転板３１と台座３４とに挟まれることによって、回転板３１は、台座３４上で左右方向（図４の矢印Ａ方向および矢印Ｂ方向）に回動可能なように構成されている。
【００２０】
図６に示すように、板金製の平板状の台座３４には、上方向に凸の絞り形状を有する凸部３４ａがプレス加工（絞り加工）により形成されている。また、凸部３４ａの上面上には、後述する浮止部材３５の位置決めをするための突起部３４１ａが設けられている。また、凸部３４ａは、回転板３１の外周面３１ａおよび保持部材３３の外側ガイド部３３ｂをともに取り囲むように等角度間隔（本実施形態では９０度間隔）に形成されている。また、各凸部３４ａには、浮止部材３５が取り付けられる部分に、２つのネジ取付孔３４ｂが設けられている。
【００２１】
また、台座３４には、図６に示すように、上方向に凸形状のネジ挿入孔３４ｃが設けられており、図示しないネジによりネジ挿入孔３４ｃを介して、後述する樹脂製のカバー部材２１（図３参照）が台座３４に取り付けられるように構成されている。また、図６に示すように、台座３４には、金属製の回動軸部３４ｄがカシメ加工により取り付けられている。また、回転板３１に設けられた貫通孔３１ｂに台座３４に取り付けられた回動軸部３４ｄを挿入するとともに、回転板３１の貫通孔３１ｂから突出した回動軸部３４ｄの部分の外側面に円周状に設けられた溝部３４１ｄにＥリング３６を回動軸部３４ｄの軸に直交する方向から挿入することによって、鋼球３２および保持部材３３が回転板３１と台座３４との間に配置されるように構成されている。
【００２２】
図６に示すように、板金製の板状部材からなる浮止部材３５は、回転板３１の外周部近傍の上面が配置される領域の上方に設けられた浮止部３５ａと、浮止部材３５を台座３４の凸部３４ａに取り付けるための取付部３５ｂとから構成されている。
【００２３】
また、取付部３５ｂには、浮止部材３５を台座３４の凸部３４ａにネジ７０（図６参照）を用いて取り付けるための、ネジ取付孔３５１ｂおよびネジ取付孔３５２ｂが設けられている。ネジ取付孔３５１ｂは、台座３４に対して平面的に見て真円状に形成されている。また、ネジ取付孔３５２ｂは、台座３４の凸部３４ａに設けられた２つのネジ取付孔３４ｂの間隔が設計寸法からずれた場合に、浮止部材３５をネジ７０を用いて台座３４の凸部３４ａに固定できるように、台座３４に対して平面的に見て長穴形状に形成されている。
【００２４】
このように、４つの浮止部材３５の浮止部３５ａによって、回転板３１が左右方向に回動する際に、回転板３１の外周部および保持部材３３が垂直方向に移動するのが抑制される。
【００２５】
また、駆動部４０は、図４および図６に示すように、回転板３１を水平面内で左右方向に回動させるための伝達ギア部４１と、伝達ギア部４１の駆動源となるステッピングモータ４２とから構成されている。また、伝達ギア部４１は、図４に示すように、樹脂製のギア４３と、トルクリミッタ６０と、樹脂製のギア４４と、樹脂製のギア４５とが樹脂製のギアボックス４６に配置されるように構成されている。
【００２６】
また、図７に示すように、ステッピングモータ４２の回転軸には、樹脂製のウォームギア４７が圧入されている。また、図７および図８に示すように、ギア４３は、大径ギア部４３ａと、小径ギア部４３ｂとを一体的に含んでいる。また、ギア４４は、大径ギア部４４ａと、小径ギア部４４ｂとを一体的に含んでいる。また、ギア４５は、大径ギア部４５ａと、小径ギア部４５ｂとを一体的に含んでいる。また、図４、図６および図７に示すように、回転部３０の回転板３１の上面には、樹脂製の回転ギア部材４８が、４つのネジ７０によって固定されている。なお、図７では、伝達ギア部４１の構成を説明するために、伝達ギア部４１およびステッピングモータ４２を内部に配置するためのギアボックス４６（図４参照）を図面から省略している。
【００２７】
また、図７および図８に示すように、ウォームギア４７は、ギア４３の大径ギア部４３ａに、回転軸が直交するように噛合されているとともに、ギア４３の小径ギア部４３ｂは、トルクリミッタ６０の原動側ギア６２のギア部６２ａ（図８参照）に回転軸が平行に噛合されている。また、図７および図８に示すように、トルクリミッタ６０の従動側ギア６１のギア部６１ａ（図８参照）は、ギア４４の大径ギア部４４ａに回転軸が平行に噛合されているとともに、ギア４４の小径ギア部４４ｂは、ギア４５の大径ギア部４５ａに回転軸が平行に噛合されている。また、図７および図８に示すように、ギア４５の小径ギア部４５ｂは、回転ギア部材４８の回転ギア部４８ａに回転軸が平行に噛合されている。したがって、図７および図８に示す上述のギア部材の配置関係から、ステッピングモータ４２の駆動力が、ウォームギア４７、ギア４３、トルクリミッタ６０、ギア４４、ギア４５および回転ギア部材４８を介して回転板３１へと伝達されるように構成されている。
【００２８】
また、トルクリミッタ６０は、図７および図８に示すように、樹脂製の従動側ギア６１と、樹脂製の原動側ギア６２と、金属製のバネ部材６３（コイルバネ）とから構成されている。また、トルクリミッタ６０は、ステッピングモータ４２の駆動力が所定の駆動トルク以下の場合に、ステッピングモータ４２の駆動力を伝達ギア部４１を介して回転部３０に伝達することによって回転板３１を表示装置回転台２０の内部で回転させることが可能であるとともに、ステッピングモータ４２の駆動力が所定の駆動トルク以上となった場合には、ステッピングモータ４２の駆動力が回転部３０に伝達されないような機能を有するように構成されている。
【００２９】
また、表示部支持機構５０は、図４に示すように、表示装置回転台２０の回転板３１の上面に設けられている。表示部支持機構５０は、表示部支持部材５１と、表示部支持部材５１を補強するための補強部材５２とにより構成されている。この表示部支持部材５１および補強部材５２は、２つのネジ７０によって回転板３１に固定されているとともに、回転板３１の表面に対して垂直方向に延びるように設けられている。また、表示部支持部材５１は、補強部材５２と隣接するように設けられているとともに、３つのネジ７０により補強部材５２と連結されている。
【００３０】
また、図２および図３に示すように、ディスプレイ本体１０は、樹脂製のフロントキャビネット１１と、樹脂製のリアキャビネット１２とから構成されている。また、ディスプレイ本体１０の内部には、液晶パネル（図示せず）が取り付けられた液晶モジュール（図示せず）が、フロントキャビネット１１およびリアキャビネット１２とによって取り囲まれるように構成されている。また、ディスプレイ本体１０は、表示部支持部材５１のネジ挿入孔５１ａ（図３参照）および５１ｂ（図３参照）を介して、ネジ取付孔（図示せず）にネジ７０が締め付けられることにより、表示部支持部材５１に取り付けられている。また、リアキャビネット１２には、表示部支持部材５１を覆い隠して配置するための穴部１２ａが一体的に設けられている。また、リアキャビネット１２の外周部には、複数のネジ挿入孔１２ｂ（本実施形態では７個所）が設けられ、ネジ８０によってフロントキャビネット１１に取り付けられるように構成されている。
【００３１】
また、表示装置回転台２０には、図２および図３に示すように、樹脂製のカバー部材２１がネジ（図示せず）によって台座３４に台座３４の下面側から取り付けられている。また、樹脂製のカバー部材２２が上方から回転部３０を覆うとともに、回転板３１とともに左右方向に回転することが可能なように取り付けられている。また、樹脂製のカバー部材２２には、表示部支持機構５０が挿入されるための穴部２２ａが設けられている。
【００３２】
図９および図１０は、図１の表示装置回転台の回転動作を説明するための図である。図１、図２、図４、図５、図７〜図１０を参照して、表示装置回転台２０の水平面内における左右方向の回転動作について説明する。
【００３３】
まず、図４に示すように、表示部支持部材５１が回転板３１に対して垂直であるとともに正面を向いた状態（回転ギア部材４８の回転ギア部４８ａの中央部がギア４５の小径ギア部４５ｂと噛合している状態）から、ユーザが付属リモコン（図示せず）のオートターンボタン（図示せず）を押圧することによって、ディスプレイ本体１０（図１参照）を右方向（矢印Ａ方向）に回転させる信号がディスプレイ本体１０の制御回路部（図示せず）に送信される。この信号に基づいて、表示装置回転台２０のステッピングモータ４２が駆動される。
【００３４】
具体的には、図４に示すように、ステッピングモータ４２が駆動するのに伴って、ステッピングモータ４２に取り付けられたウォームギア４７が矢印Ｅ１方向（図７参照）に回転されるとともに、ギア４３が矢印Ｅ２方向（図７参照）に回転される。そして、ギア４３を介してトルクリミッタ６０の原動側ギア６２が矢印Ｅ３方向に回転される。そして、トルクリミッタ６０の従動側ギア６１が矢印Ｅ３方向に回転されるとともに、ギア４４が矢印Ｅ４方向（図７参照）に回転される。さらに、ギア４５が矢印Ｅ５方向（図７参照）に回転されることによって、回転ギア部材４８が矢印Ｅ６方向に回転される。
【００３５】
これにより、図９に示すように、表示部支持部材５１が取り付けられた回転部３０上の回転板３１が矢印Ｇ１方向への回転を開始するので、ディスプレイ本体１０（図１参照）は、矢印Ａ方向（図１参照）へ回転を開始する。
【００３６】
そして、図９に示すように、ディスプレイ本体１０（図１参照）が載置された回転部３０上の回転板３１が所定の回転速度で矢印Ａ方向（図１参照）への回転を継続する。このとき、回転板３１は、ディスプレイ本体１０（図１参照）の荷重を受けた状態で回転する。
【００３７】
そして、ディスプレイ本体１０が、ユーザが希望する角度まで回転されると、ユーザは付属リモコン（図示せず）のオートターンボタン（図示せず）の押圧を解除することによって、ディスプレイ本体１０（図１参照）を右方向（図１の矢印Ａ方向）に回転させる信号がディスプレイ本体１０の制御回路部（図示せず）に送信されなくなる。したがって、ステッピングモータ４２の駆動が停止される。これにより、回転板３１は、図９に示すような位置で矢印Ｇ１方向への回転を停止するとともに静止される。
【００３８】
また、ディスプレイ本体１０（図１参照）の矢印Ａ方向（図１参照）への回転動作がユーザによって継続されている状態において、回転板３１の回転角度が最大（本実施形態では３０度）となった場合は、回転板３１は回転部３０の内部に設けられたストッパ部材（図示せず）に当接することによって、矢印Ａ方向（図１参照）への回転動作が規制される。したがって、回転板３１は、図１０に示すような位置で矢印Ｇ１方向への回転を停止するとともに静止される。この際、ステッピングモータ４２は駆動を継続しているので、ステッピングモータ４２から伝達される駆動トルクがウォームギア４７およびギア４３を介して、トルクリミッタ６０の原動側ギア６２まで伝達される。
【００３９】
なお、図８に示すように、従動側ギア６１は、バネ部材６３によって予め設定された付勢力で原動側ギア６２に圧接されているために、バネ部材６３の圧接力に伴う従動側ギア６１の外周面と、原動側ギア６２の内周面との摩擦力以上の駆動トルクが原動側ギア６２に対して発生した場合は、原動側ギア６２の内周面と、従動側ギア６１の外周面とがスリップを起こすことによって、原動側ギア６２の駆動トルクが従動側ギア６１に伝達されない。つまり、回転板３１がストッパ部材（図示せず）に当接した場合は、従動側ギア６１、ギア４４、ギア４５および回転ギア部材４８は、原動側ギア６２の回転に関わらず回転が停止される。
【００４０】
なお、上記の回転動作は、回転板３１を図９に示す矢印Ｇ１方向に回転させる際について説明したが、矢印Ｇ１方向とは反対の矢印Ｇ２方向へ回転板３１を回転させる回転動作の際も、上記と同様の回転動作が行われることによって、回転板３１を矢印Ｇ２方向へ回転させるとともに、ディスプレイ本体１０（図１参照）は左方向（図１の矢印Ｂ方向）に回転される。
【００４１】
上記のように、通常はリモコンのオートターンボタンを押すことでディスプレイ本体１０を回転させると考えられるが、本発明の表示装置は、リモコンが近くに見つからない場合でもディスプレイ本体１０を回転させることができるような構成となっている。
【００４２】
図１に示すように、フロントキャビネット１１の前面の左右端にそれぞれ窓が形成され、その窓に臨むように、ユーザからの回転動作の指示を検知する検知部が設けられている。窓には半透明の樹脂を設けるとよい。検知部は、例えば、かざした手を検知する赤外線センサを用いることができ、フロントキャビネット１１の前面右端に設けられた右回転検知部９０と、フロントキャビネット１１の前面左端に設けられた左回転検知部９１とからなる。
【００４３】
右回転検知部９０及び左回転検知部９１は、ディスプレイ本体１０の制御回路部（図示せず）に接続されており、右回転検知部９０は右方向（矢印Ｂ方向）の回転指示を検知し、左回転検知部９１は左方向（矢印Ａ方向）の回転指示を検知する。そして、リモコンのオートターンボタンからの入力と同様に、右回転検知部９０又は左回転検知部９１からの検知信号によって、表示装置回転台２０のステッピングモータ４２が駆動される。
【００４４】
したがって、ユーザが右回転検知部９０の前に手をかざすと、右回転検知部９０がそれを検知してステッピングモータ４２が駆動され、ディスプレイ本体１０が右方向に回転する。一方、ユーザが左回転検知部９１の前に手をかざすと、左回転検知部９１がそれを検知してステッピングモータ４２が駆動され、ディスプレイ本体１０が左方向に回転する。回転動作は手をかざしている間、つまり、検知部が検知している間だけ継続されるので、手をどけると回転は停止する。
【００４５】
これにより、手動で回転させる構成にある、経時劣化によって回転が重くなったり、力の弱い人には回転動作が困難であったりするという問題や、リモコンの操作で回転させる構成にある、リモコンが見つからない場合、回転させることができないという問題を解決し、容易に回転させることができる。
【００４６】
なお、右回転検知部９０及び左回転検知部９１の位置には特に限定はなく、操作しやすい場所であればよい。但し、右回転検知部９０は、液晶表示装置１００の右半分の領域に設け、左回転検知部９１は、液晶表示装置１００の左半分の領域に設ける方が、直感的に操作できるので好ましい。例えば、カバー部材２１の上面の左右端に窓を形成し、それを臨むように右回転検知部９０及び左回転検知部９１を設けてもよい。窓には半透明の樹脂を設けるとよい。この場合、右回転検知部９０及び左回転検知部９１は表示装置回転台２０の制御部に接続すれば、ディスプレイ本体１０を介さずに回転動作を行うことができるので、様々なディスプレイを取り付けることが可能となる。
【００４７】
また、右回転検知部９０及び左回転検知部９１は、ディスプレイ本体１０とカバー部材２１の両方にそれぞれ設けてもよい。そうすれば、ユーザは好みに応じて使い分けることができるので、使い勝手が向上する。
【００４８】
また、検知部の検知手段には特に限定はなく、上記の赤外線センサの他にも、押している間だけ検知して放すと元に戻るライトタッチスイッチなどを用いてもよい。例えば、図１の右回転検知部９０及び左回転検知部９１の位置にライトタッチスイッチを設けた場合は、ユーザはディスプレイ本体１０を押して回転させるイメージでライトタッチスイッチを押すことになるので、直感的に操作できる。
【産業上の利用可能性】
【００４９】
上記実施形態では、表示装置の一例としての液晶表示装置に表示装置回転台を設ける例を示したが、本発明はこれに限らず、有機ＥＬパネルなどの液晶パネル以外の表示部（表示パネル）を有する表示装置に表示装置回転台を設けるような構成にも利用することができる。
【図面の簡単な説明】
【００５０】
【図１】表示装置回転台を備えた液晶表示装置の正面側の斜視図である。
【図２】図１の液晶表示装置の背面側の斜視図である。
【図３】図２の分解斜視図である。
【図４】図１の表示装置回転台の内部構造を示す平面図である。
【図５】図１の表示装置回転台の回転部の構成を説明するための斜視図である。
【図６】図５の分解斜視図である。
【図７】図１の表示装置回転台の伝達ギア部の構成を説明するための斜視図である。
【図８】図７の２００−２００線に沿った断面図である。
【図９】図１の表示装置回転台の回転動作を説明するための図である。
【図１０】図１の表示装置回転台の回転動作を説明するための図である。
【符号の説明】
【００５１】
１０    ディスプレイ本体（表示部）
５０    表示部支持機構
４２    ステッピングモータ（モータ）
２０    表示装置回転台
９０    右回転検知部
９１    左回転検知部
１００    液晶表示装置（表示装置）
【図１】
2008219539.tif 000003
【図２】
2008219539.tif 000004
【図３】
2008219539.tif 000005
【図４】
2008219539.tif 000006
【図５】
2008219539.tif 000007
【図６】
2008219539.tif 000008
【図７】
2008219539.tif 000009
【図８】
2008219539.tif 000010
【図９】
2008219539.tif 000011
【図１０】
2008219539.tif 000012